(57)【要約】      （修正有）【課題】印刷用シート寸法の制約の中で、従来の包装容器の容積を変えることなく、コストダウンできるフィンガーフード容器切出デザインシートを提供する。【解決手段】原板切出線は、組上げられた状態で底となる部分の面積より、口となる部分の面積が大きくなるように構成され、側面となる部分の少なくとも一部が底となる部分の幅よりも幅広に底となる部分に直接又は間接に接続される側面となる部分のさらに側方に接続して配置され、原板は互いに略平行となるように配置され、隣接する原板どうしは、一の原板の底となる部分０１０１に隣接して他の原板の幅広部分０１０２が配置される。デザインシートの無駄をなくし、容器の取り数を最大化するデザインが実現される。【選択図】図１
0003215843.tif 000002
【実用新案登録請求の範囲】
【請求項１】
シートから切出すことで展開状態の原板を作り、これを組上げることで容器となるフィンガーフード容器の原板切出前の原板切出線を配置したフィンガーフード容器切出デザインシートであって、
原板切出線は、組上げられた状態で底となる部分の面積より、組上げられた状態で口となる部分の面積がより大きくなるように構成されているとともに、
このため組上げられた状態で側面となる部分の少なくとも一部が組上げられた状態で底となる部分の幅よりも幅広に底となる部分に直接又は間接に接続される側面となる部分のさらに側方に接続して配置され、
原板は互いに略平行となるように配置されるとともに、隣接する原板どうしは、一の原板の底となる部分に隣接して他の原板の前記幅広部分が配置されるようにデザインされたフィンガーフード容器切出デザインシート。
【請求項２】
シートから切出すことで展開状態の原板を作り、これを組上げることで容器となるフィンガーフード容器の原板切出前の原板切出線を配置したフィンガーフード容器切出デザインシートであって、
原板切出線は、組上げられた状態で底となる部分の面積より、組上げられた状態で口となる部分の面積がより大きくなるように構成されているとともに、
このため組上げられた状態で側面となる部分の少なくとも一部が組上げられた状態で底となる部分の幅よりも幅広に底となる部分に直接又は間接に接続される側面となる部分のさらに側方に接続して配置され、
組上げられた状態で底となる部分に直接又は間接に接続される前記側面と異なる他の側面にはさらなる側方への側面の一部の接続がないとともに、前記他の側面の開口を構成する縁部には、略同幅の蓋が接続して配置され、
原板は互いに略平行となるように配置されるとともに、隣接する原板どうしは、一の原板の前記少なくとも一部を構成する部分に隣接して他の原板の前記蓋部分が配置されるようにデザインされたフィンガーフード容器切出デザインシート。
【請求項３】
原板を組上げる際に利用される折曲線がミシン目又はエンボスによって構成されている請求項１又は請求項２に記載のフィンガーフート容器切出デザインシート。
【請求項４】
前記折曲線は、原板中心線から左右に傾斜して構成されている請求項３に記載のフィンガーフード容器切出デザインシート。
【考案の詳細な説明】
【技術分野】
【０００１】
本考案は、フィンガーフード容器切出デザインシートに関する。
【背景技術】
【０００２】
フィンガーフードは、指でつまんで簡単に食べられる料理の総称であり、一般的には、一口サイズのものを指す。薄く小さく切ったパンの上に魚や肉などをのせ、オードブルとして提供されるカナッペなどが代表とされるが、本考案では容器に収められ、コンビニエンスストアー（ＣＶＳ）店内で、温められて販売される鳥の唐揚げその他一口サイズのスナックを呼ぶこととする。これはＣＶＳの業界でカウンターＦＦと呼ばれるカウンターで販売されるファーストフードとほぼ同義である。
【０００３】
ＣＶＳは、ＣＶＳ同士だけでなくスーパーマーケット、弁当販売店、コーヒーショップ他各種専門店等価格の安さを競う他の業態との価格競争を余儀なくされており、販売商品のコストダウンが必須となっている。フィンガーフードもその例外ではない。恒常的なコストダウンを行うためには、販売される商品自体はもちろんのこと、その包装容器に関しても、コストダウンの必要があり、常に値下げの工夫を余儀なくされている。また同時に顧客の目を引く斬新な容器のデザインも不可欠である。
【０００４】
包装容器自体は立体的なものであるが、通常印刷を施した平面の厚紙であるデザインシートを適切な形態に切り抜き、それを立体的に組み立てることにより作られる。この場合コストダウンは、印刷の色数を例えば一色に限ることにより、インク代を抑えることが主流となっているが、包装容器自体もさらなるコストダウンが求められている。
【先行技術文献】
【特許文献】
【０００５】
【特許文献１】特に該当なし
【考案の概要】
【考案が解決しようとする課題】
【０００６】
箱等の包装容器を切り抜く前の厚紙の通常の印刷寸法は、印刷機の仕様や、使用する厚紙の寸法により、例えば９００×６８０ミリメートルという制約がある。これまでは作業性等も影響し、面付けにより取り数を増やすことは難しかった。面付けとは、本考案では、フィンガーフード容器切抜デザインシート上に組立て用の原板を複数配置していくことをいう。
【０００７】
本考案は、上述のような問題点を鑑みたものである。即ち、本考案が解決すべき課題は、印刷寸法の制約の中で、第一にこれまで使われてきた包装容器の容積を変えることなく提供することであり、第二に取り数を増やすことでコストダウンのできる原板形状を提供することである。
【課題を解決するための手段】
【０００８】
本考案は、そのような課題を解決するため、従来の包装容器の容積を達成しつつ、同じ印刷寸法から、切出し容器の取り数を増やすことのできるフィンガーフード包装容器の原板デザインを提供することである。
【０００９】
具体的には、デザインシートの印刷寸法の制約の中で、すなわち印刷包装用紙の面積内で、容積を変えることなく、最多の取り数が可能となる原板形状を考案することにより、これまでよりも多い取り数を提供する
【００１０】
本考案では、従来８個取るのが標準だったデザインシートから、１０個取れる原板形状案と１２個取れる原板形状案の二つを考案している。
【考案の効果】
【００１１】
本考案により、従来の包装容器と同じ容積を達成しつつ、従来と同じ印刷寸法の用紙から、フィンガーフードの包装容器の取り数を従来の８個から１０個または１２個に増やして提供することが可能となる。
【図面の簡単な説明】
【００１２】
【図１】フィンガ―フード容器１０個取り切出デザインシート
【図２】フィンガーフード容器１０個取りの1個の組立前の形状
【図３】フィンガーフード容器１０個取りの１個の組立形状
【図４】フィンガーフード容器１２個取り切出デザインシート
【図５】フィンガーフード容器１２個取りの1個の組立前の形状
【図６】フィンガーフード容器１２個取りの1個の組立形状
【図７】フィンガーフード容器８個取り切出デザインシート
【図８】フィンガーフード容器８個取りの1個の組立前の形状
【図９】フィンガーフード容器８個取りの1個の組立形状
【考案を実施するための形態】
【００１３】
以下に本考案の実施例を説明する。実施例と請求項の相互の関係は以下のとおりである。実施例１は主に請求項１、請求項３及び請求項４、実施例２は主に請求項２、請求項３及び請求項４に関するものである。なお、本考案はこれらの実施例に何ら限定されるものではなく、その要旨を逸脱しない範囲において、種々なる態様で実施しうる。
【実施例１】
【００１４】
＜実施例１の概要＞
本実施形態のデザインシートは、所定の切出線で切出した原板を、折り目で山折りあるいは谷折りをして組み立てることにより、フィンガーフード容器として安定した形状となるものである。実施例１は１０個の原板を１デザインシートから取ることができる。
＜実施例１の構成＞
【００１５】
図２（０２００）はデザインシートより切り出した１０個取りの単体の、組立て前の形状を示している。ここでは１０個取りの場合の原板構成を説明する。
＜デザインシート＞
【００１６】
フィンガーフード容器切出しデザインシートは、フィンガーフード容器の原板が切出し可能に面付けされたシートである。一枚のシートでできるだけ多く容器用原板が切出しできること、その容器の容積が従来のものと変わらないこと、組上げた容器のデザインが斬新であることなどが優れた原板形状の条件である。
＜蓋＞
【００１７】
蓋（図３：０３０１、図２：０２０１）は、開口部である容器の口（図３：０３０２）を上からふさぐことにより、フィンガーフードを移動する際、中身が容器からこぼれ落ちないようして容器を運びやすくするとともに、チリや埃、また虫などから内容物であるフィンガーフードを守る役目を果たしている。特にフィンガーフード単品での購入が予測される場合には、袋に入れないことも考えられるため、この蓋が重要な役割を果たす。なお販売場所での飲食が期待される場合は蓋無し容器も使われるが、顧客が移動を希望する場合は紙袋に入れることで蓋の代わりをしている。
【００１８】
図２の１０個取りの単体の場合、蓋（０２０１）、側面（０２０２、０２０４、０２０５）、底（０２０３）の構成となる。
＜側面＞
【００１９】
側面（０２０２、０２０４、０２０５）は前記蓋同様に、内容物を保護する役割がある。本考案では従来の箱型の四角形ではなく、保温を考慮した底の形状に対応しつつ、側面は上から見ると六角形であり、持ち歩きやすいだけでなく、印刷が可能であり、顧客に商品の良さを伝えることができる従来より複雑な形状となっている。
＜底＞
【００２０】
底（図２：０２０３）はフィンガーフード容器自体を台等の上に置く際、安定的に自立し倒れにくい形状となっている。但し、フィンガーフードの特性である保温と油汚れを考慮し、底の外枠である側面の最下部以外は下の台等に触れないようになっている。（図３：０３０５）
＜原板切出線＞
【００２１】
図１（０１００）は本実施形態の原板切出前デザインシートである。シートから展開状態の原板（図２）を切り出す際に使用する原板切出線（図２：０２０６）が記されている。これは原板の輪郭を指す。デザインシートより切出して組み立てる原板は、折曲線を有し、組み立てる容器には、蓋（図３：０３０１）、口（図３：０３０２）、側面（図３：０３０３）、底（図３：０３０４）が備わる。次に、この構成について説明する。
【００２２】
原板切出線（図２：０２０６）は原板の輪郭を表しており、これに沿い原板を切り出すことで同じ形状の原板をデザインシートから切り出せる。なお原板切出線は、原板がシート全体から切り出され、組上げられた状態で容器の底となる部分（図２：０２０３）の幅（図２：Ａ）より、容器の口となる部分の幅（図２：Ｂ）がより長くなるように構成されている。また組上げられた状態で、側面（図２：０２０２、０２０４、０２０５）となる部分の少なくとも一部が、組上げられた状態で底となる部分（図２：０２０３）の幅（図２：Ａ）よりも幅広に、底となる部分に直接又は間接に接続される側面となる部分のさらに側方（図２：０２０５）に接続して配置される。これにより、従来の容器（図９）の容積を保ったまま、口の部分（図３：０３０２）の面積を底の部分（図３：０３０４）の面積よりも広くでき、容器の底部に残る食物等を消費者が取り出しやすくしている。
＜原板デザイン＞
【００２３】
１０個取りの原板デザインは従来の容器と同等の容積を持ちながら、中心線から傾斜する線を使い、デザインシート上により多くの原板が並ぶようにデザインされており、また容器として従来のものよりも変化に富む形状を実現し、消費者の興味を引くデザインとなっている。
【００２４】
図１にあるように、本考案のフィンガーフード容器切出デザインシートでは、原板が互いに略平行となるように配置（図１：ａ，ｂ，ｃ，ｄ，ｅ，ｆ）される。さらに縦列の右列と左列が略平行である。そして隣接する原板同士は、一の原板の底（図１：０１０１）となる部分に隣接して他の原板の前記幅広部分（図１：０１０２）が配置される。上下に面付けされる口と底の大きさの異なる容器の原板を互い違いに配置することにより、シートを無駄なく使うことができる。
【００２５】
図１はフィンガーフード容器切出デザインシートの原板１０個取りの配置を示している。一方図７（０７００）は本考案と同容量の従来の８個取りフィンガーフード容器切出デザインシートを示している。図７が図１と比べて、原板どうしが整列して配置されていないだけでなく、デザインシートの中心から離れた部分にも利用できない部分が点在していることがわかる。したがって1枚のデザインシートからの原板の取り数が少ないだけでなく、切抜デザインシートの無駄が大きいことがわかる。
【００２６】
図７においてはデザインシートの利用面積を増やすため工夫して原板を配置しているが、縦列、横行の並びからところどころに広い未使用領域が存在し、取り数は８と少ない。図８（０８００）は原板の構成であり、蓋（０８０１）、底（０８０３）となり、その他が側面（０８０２）となっている。
【００２７】
図３は１２個取りの場合の単体の原図を組上げた状態を示している。図３（ａ）は蓋（０３０１）、口（０３０２）、側面（０３０３）、底（０３０４）という構成である。底（０３０４）が側面の最下部であることがわかる。この底を斜め下から見たのが図３（ｂ）であり、側面が外枠として最下部となり、全体を支え、立てた状態で最下部にならない位置に底（０３０５）という構成がわかる。図３（ｃ）は、蓋部（図３ａ：０３０１）が側面の切込み（０３０６）に差し込まれて閉じた状態であることを示している。
＜折曲線＞
【００２８】
図２はフィンガーフード容器切出デザインシートの容器１０個取りの場合の１個の組立前の形状である。原板折曲線は、点線で表されるものであり、デザインシートから切り出した原板を山折りあるいは谷折りして容器となるよう組み立てるためのガイドとなる線である。
【００２９】
本考案のフィンガーフード容器切出デザインシートには、折曲線がミシン目又はエンボスによって作られる。折曲線とは、切り出された原板を組上げる際に利用されるガイドの役目を果たすものであり、この折曲線により複数の切出デザインを、折曲線がない場合と比較できないほど容易にかつ同じ形に素早く組み立てることができる。
【００３０】
なお、前記ミシン目は折り曲げやすいように、原板に入れた連続した小穴のことを指し、前記エンボスは型押しなどによりデザインシートを浮き上がらせたもののことを指す。これらは各図において点線で示される。
【００３１】
図３はフィンガーフード容器１０個取りの場合の１個の組立形状であり蓋が開いた状態である。一方図９は本考案と同容量の従来のフィンガーフード容器８個取りの場合の１個の組立形状となり、蓋が開いた状態である。図９がサイコロに近い単純な面の組み合わせでできていることに対し、本考案は蓋、側面、底の形状や組み合わせが複雑であることがわかる。
【００３２】
なお図９は、蓋（０９０１）、口（０９０２）、側面（０９０３）、底（０９０４）という構成になっている。
【００３３】
本考案のフィンガーフード容器切出デザインシートの前記折曲線は、ミシン目又はエンスにより構成されているが、原板中心線から左右に傾斜して構成されている。従来の折曲線を図８で確認すると、従来の折曲げ線は例えば原板中心線に対しすべて水平または平行に構成されている。本考案の前記折曲線が原板中心線から左右に傾斜して構成されることにより、従来の傾斜していない場合に比べ、容器の組立形状が単なる直方体や立方体でなくなり、傾斜等変化のある複雑なものとすることができることに加え、デザインシートの有効使用が可能となる。
【実施例２】
【００３４】
＜実施例２の概要＞
本実施形態のデザインシートは、所定の切出線で切出した原板を、折り目で山折りあるいは谷折りをして組み立てることにより、フィンガーフード容器として安定した形状となるものである。実施例２は実施例１の１０個取りと場合と同様に、従来の８個取りと同容量の１２個の原板を１デザインシートから取ることができる。
＜実施例２の構成＞
【００３５】
図５はデザインシートより切り出した１２個取りの単体の、組立て前の形状を示している。次に１２個取りの場合の原板構成を説明する。
＜デザインシート＞
【００３６】
実施例２のフィンガーフード容器切出しデザインシートは、実施例１同様、フィンガーフード容器の原板が切出し可能に面付けされたシートである。一枚のシートでできるだけ多く容器用原板が切出しできること、その容器の容積が従来のものと変わらないこと、各容器のデザインが複雑で斬新であることなどが優れた原板形状の条件である。
＜蓋＞
【００３７】
蓋（０５０１）は、開口部である容器の口（図６：０６０２）を上からふさぐことにより、フィンガーフードを移動する際、中身がこぼれ落ちないようして容器を運びやすくするとともに、チリや埃、また虫などから内容物であるフィンガーフードを守る役目を果たしている。特に単品での購入が予測される場合には、袋に入れないことも考えられるため、この蓋が重要な役割を果たす。その場での飲食が期待される場合は蓋無し容器もあるが、この場合でも顧客が移動を希望する場合は紙袋に入れることで蓋の代わりをしている。
【００３８】
図５の１０個取りの単体の場合は、蓋（０５０１）、側面（０５０２、０５０４、０５０５）、底（０５０３）となる。
＜側面＞
【００３９】
前記側面（０５０２、０５０４、０５０５）は前記蓋同様に、内容物を保護する役割がある。本考案では従来の箱型の四角形ではなく、持ちやすさや印刷可能性に加え、顧客に商品の良さを伝えることができるよう形状としても曲線を生かし、特徴的な形状となっている。
＜底＞
【００４０】
底（０５０３）はフィンガーフード容器を台の上等に置いた際、安定的に自立し倒れない構造となっている。但し、フィンガーフードの特性である保温と油汚れを考慮し、底の外枠以外は下の台等に触れないようになっている。
＜原板切出線＞
【００４１】
図４（０４００）は本実施形態の原板切出前デザインシートである。シートから展開状態の原板（図５：０５００）を切り出す際に使用する原板切出線（図５：０５０６）が記されている。これは原板の輪郭を指す。デザインシートより切出して組み立てる原板は、折曲線を有し、組み立てる容器には、蓋（図６：０６０１）、口（図６：０６０２）、側面（図６：０６０３）、底（図６：０６０４）が備わる。次に、この構成について説明する。
【００４２】
原板切出線（図５：０５０６）は原板の輪郭を表しており、これに沿い原板を切り出すことで同じ形状の原板をデザインシートから切り出せる。なお原板切出線は、原板がシート全体から切り出され、組上げられた状態で容器の底となる部分（図２：０２０３）の幅（図５：Ａ）より、容器の口となる部分の幅（図５：Ｂ）がより長くなるように構成されている。また組上げられた状態で、側面（図５：０５０２、０５０４、０５０５）となる部分の少なくとも一部が、組上げられた状態で底となる部分（図５：０５０３）の幅（図５：Ａ）よりも幅広に、底となる部分に直接又は間接に接続される側面となる部分のさらに側方（図５：０５０５）に接続して配置される。これにより、従来の容器（図９）の容積を保ったまま、口の部分（図６：０６０２）の面積を底の部分（図６：０６０４）の面積よりも広くでき、容器の底部に残る食物等を消費者が取り出しやすくしている。
＜原板デザイン＞
【００４３】
１２個取りの原板デザインは１０個取りの原板デザイン同様に、従来の容器と同等の容積を持ちながら、中心線から斜めとなる線を使い、デザインシート上により多くの原板が並ぶようにデザインされており、また容器として従来のものよりも形状が変化に富み、消費者の興味を引くデザインとなっている。
【００４４】
図４にあるように、本考案のフィンガーフード容器切出デザインシートにおいては、原板は互いに略平行となるように配置（図４：ａ，ｂ，ｃ，ｄ，ｅ，ｆ）される。さらに図４では縦列の右列と左列が略平行である。そして隣接する原板どうしは、１０個取りの場合と異なり、一の原板の蓋（図４：０５０３）となる部分に隣接して他の原板の前記幅広部分（図５：０５０４）が配置される。前記１０個取りの場合と幅広部分と蓋の位置の関係は違うものの、１２個取りの場合でも、口と底の大きさの異なる原板をそれぞれ互い違いの配置ができるようにデザインされており、この結果、シートを無駄なく使うことができる。
【００４５】
図４はフィンガ―フード容器切出デザインシートの原板１２個取りの配置を示している。一方図７は従来の８個取りフィンガーフード容器切出デザインシートを示している。図７が図４と比べて、原板どうしが縦横に整列しておらず、斜めに配置されているため、それぞれの間の空きが不均一であり、同時にデザインシートの中心から離れた部分にも利用できない部分が点在していることがわかる。したがって１枚のデザインシートからの原板の取り数が少ないだけでなく、切抜デザインシートの無駄が大きい。
【００４６】
図７においてはデザインシートの利用面積を増やすため工夫して原板を配置しているが、縦列、横行の並びからところどころに広い未使用領域が存在し、取り数は８と少ない。図８は原板であり、蓋（図８：０８０１）、底（図８：０８０３）となり、その他が側面（図８：０８０２）という構成となっている。
【００４７】
図６は１２個取りの場合の単体の原図を容器に組上げた状態をしている。図６（ａ）は蓋（０６０１）、口（０６０２）、側面（０６０３）、底（０６０４）という構成である。１０個取りの場合と同様、底が側面の最下部となる。底を斜め下から見たのが図６（ｂ）であり側面が外枠として最下部となり、立てた状態で底（０６０５）がという構成も１０個取りの場合と同様である。
＜折曲線＞
【００４８】
図６はフィンガーフード容器切出デザインシートの容器１２個取りの場合の１個の組立前形状である。１０個取り同様１２個取りの場合の原板折曲線は、図面上点線で表されるものであり、デザインシートから切り出した原板を山折り谷折りして容器となるよう組み立てるガイドとなる線である。
【００４９】
本考案のフィンガーフード容器切出デザインシートには、折曲線がミシン目又はエンボスによって構成される。折曲線とは、切り出された原板を組上げる際に利用されるガイドの役目を果たすものである。この折曲線により複数の切出デザインを、折曲線がない場合と比較できないほど容易にかつ同じ形に素早く組み立てることができる。
【００５０】
１０個取りの場合と同様、ミシン目は折り曲げやすいように、原板に示した連続した小穴のことであり、エンボスは型押しなどによりデザインシートを浮き上がらせたもののことを指す。これらは各図において点線で示される。
【００５１】
図６はフィンガーフード容器１２個取りの場合の１個の組立形状であり蓋が開いた状態である。一方図９は従来のフィンガーフード容器８個取りの場合の１個の組立形状となり、蓋が開いた状態である。図９がサイコロに近い四角い面の組み合わせでできているのに対し、１０個取りの場合と同様１２個取りの場合も蓋（図６：０６０１）、側面（図６：０６０３）、底（図６：０６０４）の形状が複雑である。側面は原板中心線に対して傾斜する形状となっている。
【００５２】
本考案の１２個取りの場合のフィンガーフード容器切出デザインシートの前記折曲線は、ミシン目又はエンボスにより構成されているが、１０個取り同様に側面が原板中心線から左右に傾斜して構成されている。従来の折曲線を図８で確認すると、従来の折曲げ線は例えば原板中心線に対しすべて水平または平行に構成されている。前記折曲線が原板中心線から左右に傾斜して構成されることにより、従来の傾斜していない場合に比べ、容器の完成形状が単なる直方体や立方体でなくなり、傾斜等変化や丸みを帯びた前面など複雑なものとして、商品価値を高めることができることに加え、デザインシートの有効使用が可能となる。
【符号の説明】
【００５３】
デザインシート：０１００、０４００、０７００
原板：０２００、０５００、０８００
原板切出線：０２０６、０５０６、０８００ 
蓋： ０１０３、０２０１、０３０１、０４０３、０５０１、０６０１、０７０３、０８０１、０９０１
底：０１０１、０２０３、０３０４、０３０５、０５０３、０６０４、０８０３、０９０４
側面：０２０２、０２０４、０２０５、０３０３、０５０２、０５０４．０５０５、０６０３、０８０２、０８０４、０８０５、０８０６、０９０３
折曲線：各図の点線
【図１】
0003215843.tif 000003
【図２】
0003215843.tif 000004
【図３】
0003215843.tif 000005
【図４】
0003215843.tif 000006
【図５】
0003215843.tif 000007
【図６】
0003215843.tif 000008
【図７】
0003215843.tif 000009
【図８】
0003215843.tif 000010
【図９】
0003215843.tif 000011